(57)【要約】この発明は、等間隔の部分的な裁断線を有する紙のロールから、個々のシートのペーパータオルを供給するための、ペーパータオルディスペンサからなる。ディスペンサは、ハウジングとハウジングドアとを含み、該ハウジングドアは回動して開放し、シート材料のロールをディスペンサ内に挿入させることが可能である。ディスペンサは、ユーザに掴ませるためにロールの端部を突出すことができるじょうご型出口を有する。ペーパータオル断裂部材は、じょうご部の出口開口部に隣接して場所決めされ、この部材の開放部はディスペンサの開放部のサイズを変化させるために調節可能である。この出口サイズの調節は、ロールからシートが引き裂かれる位置の調節をもたらし、単一のディスペンサにおいて異なった種類のシート材料の使用を可能にする。
2004512151.tif 000002
【特許請求の範囲】
【請求項１】
等間隔の部分的な裁断線を有する紙のロールから個々のシートのペーパータオルを供給するためのペーパータオルディスペンサであって、前記各線の対の間には前記個々のシートの１つが規定され、
ａ）前記ロールを受けるための中空のハウジングと、
ｂ）前記中空のハウジングに回動可能に装着され、かつ閉鎖位置から開放位置に可逆的に移動可能であるハウジングドアと、
ｃ）前記中空のハウジングの底部のじょうご型領域とを含み、前記じょうご型領域は出口開口部で終端し、かつ前記ロールの端部領域の導入を可能にする開放部を一方側に沿って有し、さらに
ｄ）前記出口開口部に隣接して、かつ前記中空のハウジング内部の外側に位置決めされるペーパータオル断裂部材を含み、前記ペーパータオル断裂部材は、前記出口開口部に整列されかつ各シートが前記ロールから引き裂かれる位置を調節するためにサイズを変えるよう調節可能である開放部を有する、ディスペンサ。
【請求項２】
前記出口開口部は、前記ロールの端部と前記ディスペンサが取付けられる壁との間にユーザの手のための十分な空間が提供されるように、前記ディスペンサの軸と前記ハウジングドアとの間に位置決めされる、請求項１に記載のディスペンサ。
【請求項３】
前記ペーパータオル断裂部材は、前記ロールの端部領域を通過させるための開放部を備えた前記出口開口部の周りにおける耐摩耗性リングと、ハウジングドアにおけるスペーサとを含み、前記スペーサは、ハウジングドアがハウジングに抗して閉鎖された場合にリングとスペーサとが組み合って前記出口開口部を完全に取り囲むように、前記開放部に挿入する、請求項１に記載のディスペンサ。
【請求項４】
前記耐摩耗性リングは取り外し可能である、請求項３に記載のディスペンサ。
【請求項５】
前記耐摩耗性リングは金属製である、請求項３に記載のディスペンサ。
【請求項６】
前記ペーパータオル断裂部材は、摺動可能な耐摩耗性プレートを含み、前記摺動可能な耐摩耗性プレートは前記出口開口部における前記開放部のサイズを変化させるように摺動可能に調節される、請求項１に記載のディスペンサ。
【請求項７】
前記摺動可能な耐摩耗性プレートは金属製である、請求項６に記載のディスペンサ。
【請求項８】
前記ペーパータオル断裂部材は、前記耐摩耗性リングに隣接して場所決めされる摺動可能な耐摩耗性プレートを含み、前記摺動可能な耐摩耗性プレートは、前記リングを覆いおよび露出させ、かつ前記出口開口部のサイズを調節するように摺動可能に調節される、請求項３に記載のディスペンサ。
【請求項９】
前記耐摩耗性リングは取り外し可能である、請求項８に記載のディスペンサ。
【請求項１０】
前記耐摩耗性リングおよび前記耐摩耗性プレートの両方が金属製である、請求項８に記載のディスペンサ。
【請求項１１】
前記ペーパータオル断裂部材は、前記ロールの端部領域を通過させるための開放部を備えた前記出口開口部の周りに位置決めされる第１の耐摩耗性バーと第２の耐摩耗性バーと、ハウジングドアにおける第３の耐摩耗性バーとを含み、前記第３の耐摩耗性バーは、ハウジングドアがハウジングに抗して閉鎖された場合に前記第１のバーと前記第２のバーと前記第３のバーとが組み合って前記出口開口部を完全に取り囲むように前記開放部を覆い、前記第１のバーおよび前記第２のバーは前記出口開口部における前記開放部のサイズを変化させるように運動可能に調節可能である、請求項１に記載のディスペンサ。
【請求項１２】
前記第１のバー、前記第２のバーおよび前記第３のバーは金属製である、請求項１１に記載のディスペンサ。
【発明の詳細な説明】
【０００１】
分野
この発明はシート材料のためのディスペンサに関し、特に間隔をあけた部分的な裁断線によって複数のシートに分割された芯のないロールの中心からペーパータオルなどの材料の個々のシートを供給するディスペンサに関する。
【０００２】
背景
先行技術には、ペーパータオルおよび同様のシート材料を供給するためのいくつものディスペンサが存在する。供給の方法の１つは、芯のないロールの中心からシート材料が取り除かれる「中心引出し」機構に関わる。シート材料は、ユーザからの引出し運動に摩擦的に抵抗する制限された開放部を通って引出される。この抵抗により、シート材料は部分的な裁断線によって印付けされる予め定められたポイントで個々のシートに引き裂かれる。
【０００３】
中心引出しディスペンサの最も一般的な設計は、円錐またはじょうご型のノズルを用いて、抵抗し、かつシート材料を供給するための開放部を設けるものである。この設計は、シート材料ロールの端部のための、新しいロールの端部を容易に挿入することができる大きな第１の入口を設ける一方で、穿孔を裂くのに十分な抵抗を付与することが必要である制限された出口開放部をも有する。
【０００４】
現在の中心引出しディスペンサ設計には、いくつかの問題がある。第１に、あるディスペンサは比較的安価なプラスチックのケーシングによって形成される開放部のポイントを有する。出口開放部に抗してシート材料が繰返し通過することにより、このプラスチックが摩耗し、ついには穿孔を裂くために適切な抵抗を付与するには、開放部が大きくなりすぎてしまう。ほとんどの場合、この問題を解決するためにはユニット全体を交換しなくてはならない。
【０００５】
第２の問題は、異なった種類のシート材料に対しては複数のディスペンサが必要なことである。異なった等級のシート材料は、異なったサイズおよび形状の出口開放部を必要とする。理想的には、シート材料ディスペンサは異なった等級のシート材料の供給が可能であるよう調節可能であるべきである。
【０００６】
従って、この発明の目的はシート材料の摩擦によって引き起こされる摩耗をなくす修正された出口開放部を有するシート材料ディスペンサを提供することである。
【０００７】
この発明のさらなる目的は、異なった等級のシート材料の供給を可能にする形状またはサイズに調節できる出口開放部を備えたシート材料ディスペンサを提供することである。
【０００８】
要約
この発明は、等間隔の部分的な裁断線を有する紙のロールから、個々のシートのペーパータオルを供給するための、ペーパータオルディスペンサからなる。ディスペンサは、ハウジングとハウジングドアとを含み、該ハウジングドアは回動して開放し、シート材料のロールをディスペンサ内に挿入させることが可能である。ディスペンサは、ユーザに掴ませるためにロールの端部を突出すことができるじょうご型の出口を有する。このじょうご部は、好ましくはロール端部とディスペンサが取付けられる壁との間にユーザがロール端部を掴む空間を設ける態様で、ディスペンサの軸とハウジングドアとの間に場所決めされる。ペーパータオル断裂部材は、じょうご部の出口開口部に隣接して場所決めされ、この部材の開放部はディスペンサの開放部のサイズを変化させるために調節可能である。この出口サイズの調節は、ロールからシートが引き裂かれる位置の調節をもたらし、単一のディスペンサにおいて異なった種類のシート材料の使用を可能にする。
【０００９】
任意で、好ましくは金属または硬質プラスチックの耐摩耗性リングがハウジング内に場所決めされて、ロール端部の通過を可能にするスロット以外は出口開放部を取り囲む。ハウジングドアが閉鎖された場合にハウジングドアにおけるスペーサがリングのスロットに入り、出口開放部全体を取り囲む間断のないリングをもたらす。ユーザがロール端部を引いた場合、材料はプレートに沿って擦れ、摩擦は予め定められた穿孔に沿った個々の材料シートの分離を可能にするのに十分な抵抗を生成する。リングは、ディスペンサを繰返し使用することにより引き起こされる摩耗に対して極めて耐性がある。
【００１０】
ペーパータオル断裂部材の調節は、リングと同じ耐摩耗性材料から作られるスライドプレートによって提供される。
【００１１】
好ましくは、出口開放部の形状を調節して異なった等級のシート材料に対処するためにリングの交換ができるよう、リングは取り外し可能でもある。
【００１２】
リングおよびスライドプレートアセンブリは、最も広い範囲の調節可能性を提供するよう、ペーパータオル断裂部材内で組合されてもよい。
【００１３】
この発明自体は、機構および動作方法の両方について、さらに付加的なその目的および利点についても、添付の図面を参照して以下の詳細な説明を読むと容易に明らかとなるであろう。
【００１４】
詳細な説明
図１は、間隔のあいた部分的な裁断線によって複数のシートに分割されたシート材料のロールから、個々のシートを供給するための閉鎖したディスペンサ１０を示す。ディスペンサ１０はハウジングドア１２およびハウジング１４を含む。示される実施例において、じょうご状アウトレット１６は、好ましくは閉鎖したディスペンサ１０の中心軸Ａ−Ａよりも前方に場所決めされる。じょうご状アウトレット１６を中心軸Ａ−Ａよりも前方に場所決めすることにより、ディスペンサが壁に取り付けられた場合に、突出したロール端部７０をユーザが掴むために利用可能である空間が増大する。じょうご状アウトレット１６はまた、じょうご出口開放部１８の後方に場所決めされる任意の調節機構２０を備えることが示される。本実施例においては、ハウジングドア１２をハウジング１４から遠ざかるよう回転させることにより閉鎖したディスペンサ１０を開放させるヒンジ４０が、ディスペンサ１０の外側に場所決めされる。ロック留め金（図示せず）または同様の機構が、ハウジングドア１２を閉鎖位置に保持するために用いられる。シート材料のロール端部７０が、ユーザによって掴まれるよう出口開放部１８を通って突出す。
【００１５】
図２は、じょうご状アウトレット１６および出口開放部１８とともに、閉鎖したディスペンサ１０の端面図を示す。調節機構２０もまた示される。本実施例においては、調節機構２０はスライドプレート２２を含む。出口開放部１８を規定するリング３０の部分もまた、出口開放部１８の周りおよびスライドプレート２２の下に見ることができる。リング３０およびスライドプレート２２は、繰返し通過するシート材料による何らかの摩耗を防ぐ金属で作られる。しかしながら、硬質プラスチックのような、どのような好適な耐性材料をも用いてもよい。
【００１６】
図３は、ハウジングドア１２の内部を示す。スペーサ２８は、ハウジングドア１２がハウジング１４（図４に示す）に抗して閉鎖している場合に、出口開放部１８（図２に示す）の端縁に場所決めされる。
【００１７】
図４および図４ａは、ハウジング１４の内部の底部を示す。ハウジング１４を使用のために壁に固定するために、どのような従来の方法を用いてもよい。たとえば、ハウジング１４をねじで壁に固定できるようにハウジング１４の背部に孔を含んでもよい。じょうご状アウトレット１６の２つの突出部３２および３４（図４ａを参照）がプラットフォーム３６を支持し、該プラットフォーム３６はシート材料のロール（図示せず）を保持し、かつロール端部７０（図１を参照）がユーザによって引かれた場合にロールを回転させる。プラットフォーム３６はスロット４４でハウジング１４に装着される。プラットフォーム３６はじょうご型開放部３８を有するが、これはハウジング１４のじょうご状アウトレット１６の内部に嵌まり、かつじょうご型開放部３８の端部と出口開放部１８との間にリング３０およびスライドプレート２２のための空間を設けるようダイメンションが決められる。プラットフォーム３６はまた、以下に説明するように新しいロールの挿入を可能にするための開放部を一方端に沿って有する。スライドプレート２２およびリング３０は、出口開放部１８のすぐ上に場所決めされる。
【００１８】
スライドプレート２２およびリング３０は、ハウジング１４がハウジングドア１２に比べてサイズが大きいので、ハウジング１４に搭載される。ハウジング１４のサイズが大きいのは、じょうご状アウトレット１６を中央軸Ａ−Ａ（図１に示す）よりも前方に位置決めした結果である。説明される構成が最適であると考えられるが、スライドプレート２２およびリング３０のいずれかまたはその両方が、代替的な実施例においてはハウジングドア１２に場所決めされ得ることが考えられる。
【００１９】
図５は、ハウジング１４の外部の端面図を示す。リング３０は、スペーサ２８（図３および図６に示す）を受入れるための間隙２９を有する。リング３０の形状は、出口開放部１８を規定し、リング３０は好ましくは、ディスペンサ１０（図１に示す）を交換することなく異なった等級のシート材料に対して異なって整形されるリングの使用を可能にするために、取り外し可能である。リング３０のサイズが小さいので、ハウジングドア１２またはハウジング１４に空間を設けて、単一のディスペンサでさまざまな等級のシート材料を扱えるよう、さらなるプレートを収納することが可能であり得る。
【００２０】
図６は、プラットフォーム３６（図４に示す）が取り除かれた、閉鎖したディスペンサ１０の底部を示す内部図である。ハウジングドア１２がハウジング１４に抗して閉鎖された場合に、スペーサ２８がリング３０の間隙２９（図５に示す）に挿入されて、完全に出口開放部１８を取り囲む。スライドプレート２２が完全に引きこまれた位置に示され、リング３０内の出口開放部１８の全体を露出させる。好ましくは、スライドプレート２２は、出口開放部１８の丸みをつけた形状に一致するように丸みをつけた端部を有する。図６ａは同じ図を示すが、スライドプレート２２が部分的に延長された位置にあって、出口開放部１８を部分的に覆うのを示す。
【００２１】
図７は、調節機構２０の断面を示す。スライドプレート２２はリング３０およびスペーサ２８のすぐ上に場所決めされる。スライドプレート２２の位置は、出口開放部１８のサイズを縮小するか拡大するために、調節される。示される実施例においては、スライドプレート２２と調節ノブ２６とに接続されるねじ切りファスナ２４がこの調節をもたらす。調節ノブ２６の回転がファスナ２４に沿ってスライドプレート２２を移動させる一方、座金２７がファスナ２４の位置を保つ。調節ノブ２６は、閉鎖したディスペンサ１０（図１に示す）の外部からアクセス可能であるように位置決めされる。その結果、供給プロセスにおけるユーザの干渉を防ぐための、独自の（ｕｎｉｑｕｅ）ねじ頭などの、なんらかのいたずら防止（ａｎｔｉ−ｔａｍｐｅｒ）手段を任意で含み得る。図８は同じ図を示すが、スライドプレート２２が部分的に延長された位置にあって、出口開放部１８を部分的に覆うのを示す。
【００２２】
図９は、調節機構２０に対する代替的な実施例を示す。一対の湾曲したバー５０および５２がリング３０の代わりに用いられる。ブロック５６を貫通するファスナ５４が湾曲バー５０と５２とを接続する。ファスナ５４は、（開放部を拡張するために）締められるか、または（開放部を縮小するために）緩められることができる。孔６０が調節のためにファスナ５４にアクセスできるよう位置決めされる。好ましくはハウジングドア１２に装着されるバー６２は、湾曲バー５０および５２の端部上に静止して出口開放部１８を完全に囲む。この代替的な実施例はスライドプレート２２（図４に示す）なしで示されるが、湾曲バー５０および５２とスライドプレート２２とを組合せた設計も考えられる。
【００２３】
好ましい実施例に従って設計されたユニットの動作においては、シート材料のロールが閉鎖したディスペンサ１０内部に搭載される。シート材料ロールのロール端部７０（図１を参照）はプラットフォーム３６における開放部および出口開放部１８を通る。ユーザはシート材料を引き、これがリング３０に摩擦的に接触する。ユーザによる力、およびリング３０に抗する関連の摩擦は、部分的な裁断線が出口開放部１８から出て予め定められた距離に延在するまで増大し、ここでシート材料は部分的な裁断線に沿って断裂する。シート材料の断裂された端部は出口開放部１８から突出し、別のユーザが使用する準備ができる。
【００２４】
シート材料の設置および交換は、ハウジング構造によって容易になる。ハウジングドア１２は開放され、ヒンジ４０に沿って回動してその位置を離れる。次いでシート材料のロールが、壁に取付けられたハウジング１４に挿入される。好ましい実施例においては、ロールの端部はメンテナンス作業者によってプラットフォーム３６の開放部を通って引出され、リング３０の間隙を通される。ハウジングドア１２は次いでハウジング１４に抗して閉鎖される。スペーサ２８はリング３０内の間隙に嵌まって、突出すロール端部７０を取り囲む閉鎖したリングを形成する。他の実施例は、上記に説明したものと非常に類似した態様で機能することが期待される。
【００２５】
従って、この発明を例示的な実施例を参照して説明してきたが、この説明は限定的な意味で解釈されることを意図しない。この説明を参照すると、例示的な実施例のさまざまな変形例およびこの発明の他の実施例が、当業者には明らかになるであろう。従って、前掲の特許請求の範囲はそのような変形例または実施例のいずれをもこの発明の範囲内に包含することが企図される。
【図面の簡単な説明】
【図１】閉鎖したディスペンサの側面図である。
【図２】閉鎖したディスペンサの底部の端面図である。
【図３】ハウジングドアの内部図である。
【図４】ハウジングの破断図である。
【図４ａ】ハウジングの下部内部の拡大図である。
【図５】ハウジングの端面図である。
【図６】プラットフォームを除いた、閉鎖したディスペンサの内部図である。
【図６ａ】スライドプレートが延長された位置にあるのを示す、閉鎖したディスペンサの内部図である。
【図７】閉鎖したディスペンサ内の、調節機構の断面図である。
【図８】スライドプレートが延長された位置にあるのを示す、調節機構の断面図である。
【図９】調節機構に対する代替的な実施例の破断図である。
【国際公開パンフレット】
2004512151.tif 000003
2004512151.tif 000004
2004512151.tif 000005
2004512151.tif 000006
2004512151.tif 000007
2004512151.tif 000008
2004512151.tif 000009
2004512151.tif 000010
2004512151.tif 000011
2004512151.tif 000012
2004512151.tif 000013
2004512151.tif 000014
2004512151.tif 000015
2004512151.tif 000016
2004512151.tif 000017
2004512151.tif 000018
2004512151.tif 000019
2004512151.tif 000020
2004512151.tif 000021
2004512151.tif 000022
【国際公開パンフレット（コレクトバージョン）】
2004512151.tif 000023
2004512151.tif 000024
【手続補正書】
【提出日】平成14年10月11日(2002.10.11)
【手続補正１】
【補正対象書類名】明細書
【補正対象項目名】特許請求の範囲
【補正方法】変更
【補正の内容】
【特許請求の範囲】
【請求項１】
等間隔の部分的な裁断線を有する紙のロールから個々のシートのペーパータオルを供給するためのペーパータオルディスペンサ（１０）であって、前記各線の対の間には前記個々のシートの１つが規定され、
ａ）前記ロールを受けるための中空のハウジング（１４）と、
ｂ）前記中空のハウジングに回動可能に装着され、かつ閉鎖位置から開放位置に可逆的に移動可能であるハウジングドア（１２）と、
ｃ）前記中空のハウジングの底部のじょうご型領域（３８）とを含み、前記じょうご型領域（３８）はじょうご状アウトレット（１６）で終端し、かつ前記ロールの端部領域（７０）の導入を可能にする開放部を一方側に沿って有し、さらに
ｄ）ペーパータオルリングアセンブリ（２０）を含み、前記ペーパータオルリングアセンブリ（２０）は前記じょうご状アウトレット（１６）に隣接して位置決めされ、かつ出口開口部（１８）とペーパータオル断裂部材（２２）とを有し、前記ペーパータオル断裂部材（２２）は、前記出口開口部（１８）の上で可動でありかつ各シートが前記ロールから引き裂かれる位置を調節するために前記開放部のサイズを変えるよう調節可能である、ディスペンサ（１０）。
【請求項２】
前記出口開口部（１８）は、前記ロールの端部と前記ディスペンサ（１０）が取付けられる壁との間にユーザの手のための十分な空間が提供されるように、前記ディスペンサの中央軸（Ａ−Ａ）と前記ハウジングドア（１２）との間に位置決めされる、請求項１に記載のディスペンサ（１０）。
【請求項３】
前記ペーパータオルリングアセンブリ（２０）は、前記出口開口部（２０）の周りに、前記ロールの端部領域（７０）を通過させるための開放部（２９）を備えた耐摩耗性リング（３０）を含む、請求項１に記載のディスペンサ（１０）。
【請求項４】
前記耐摩耗性リング（３０）は取り外し可能である、請求項３に記載のディスペンサ（１０）。
【請求項５】
前記耐摩耗性リング（３０）は硬質プラスチック製である、請求項３に記載のディスペンサ（１０）。
【請求項６】
前記ペーパータオル断裂部材（２２）は、摺動可能な耐摩耗性プレートであって、前記出口開口部（１８）に重なる前記プレートの端部は凹状である、請求項１に記載のディスペンサ。
【請求項７】
前記摺動可能な耐摩耗性プレートは硬質プラスチック製である、請求項６に記載のディスペンサ（１０）。
【請求項８】
前記ペーパータオル断裂部材（２２）は、前記耐摩耗性リング（３０）に隣接して場所決めされる摺動可能な耐摩耗性プレートであって、前記出口開口部（１８）に重なる前記プレートの端部は凹状である、請求項３に記載のディスペンサ（１０）。
【請求項９】
前記耐摩耗性リング（３０）は取り外し可能である、請求項８に記載のディスペンサ（１０）。
【請求項１０】
前記耐摩耗性リング（３０）および前記耐摩耗性プレートの両方が硬質プラスチック製である、請求項８に記載のディスペンサ（１０）。
【手続補正２】
【補正対象書類名】明細書
【補正対象項目名】０００５
【補正方法】変更
【補正の内容】
【０００５】
第２の問題は、異なった種類のシート材料のためには多数のディスペンサが必要なことである。異なった等級のシート材料は、異なったサイズおよび形状の出口開放部を必要とする。理想的には、シート材料ディスペンサは異なった等級のシート材料の供給が可能であるよう調節可能であるべきである。
この問題を解決するための１つの試みは、ペターソン（Ｐｅｔｔｅｒｓｏｎ）に発行された欧州特許番号第０　７４０　９２１号に見られる。ペターソンは、じょうご状開放部の外側に配置される一対の可動アームを用いて調節に備える。しかしながら、ペターソンのアームはじょうご部の外側に位置決めされるので、これらは出口開放部の摩耗を低減せず、上述の問題の解決を満たさない。じょうご状開放部は断裂面として作用し、時間とともに摩耗する。


【手続補正３】
【補正対象書類名】明細書
【補正対象項目名】００１４
【補正方法】変更
【補正の内容】
【００１４】
詳細な説明
図１は、間隔のあいた部分的な裁断線によって複数のシートに分割されたシート材料のロールから、個々のシートを供給するための閉鎖したディスペンサ１０を示す。ディスペンサ１０はハウジングドア１２およびハウジング１４を含む。示される実施例において、じょうご状アウトレット１６は、好ましくは閉鎖したディスペンサ１０の中心軸Ａ−Ａよりも前方に場所決めされる。じょうご状アウトレット１６を中心軸Ａ−Ａよりも前方に場所決めすることにより、ディスペンサが壁に取り付けられた場合に、突出したロール端部７０をユーザが掴むために利用可能である空間が増大する。じょうご状アウトレット１６はまた、じょうご出口開放部１８の後方に場所決めされる調節機構２０を備えることが示される。本実施例においては、ハウジングドア１２をハウジング１４から遠ざかるよう回転させることにより閉鎖したディスペンサ１０を開放させるヒンジ４０が、ディスペンサ１０の外側に場所決めされる。ロック留め金（図示せず）または同様の機構が、ハウジングドア１２を閉鎖位置に保持するために用いられる。シート材料のロール端部７０が、ユーザによって掴まれるよう出口開放部１８を通って突出す。




【国際調査報告】
2004512151.tif 000025
2004512151.tif 000026